【手続補正書】
【提出日】令和1年6月24日(2019.6.24)
【手続補正１】
【補正対象書類名】特許請求の範囲
【補正対象項目名】全文
【補正方法】変更
【補正の内容】
【特許請求の範囲】
【請求項１】
制御用記憶領域（２０ｍ）を用いて演算する演算装置であって、ユーザが要求する内燃機関の駆動トルクであるユーザ要求トルクに応じて、前記内燃機関の燃焼状態を制御する制御量の目標値である目標制御量を演算する制御用演算装置（２０）と、
前記制御用記憶領域とは別の監視用記憶領域（３０ｍ）を用いて演算する演算装置であって、前記内燃機関の実トルクの推定値である推定トルクが、前記内燃機関に要求されている機関要求トルクに対して所定以上乖離したトルク異常状態であるか否かを監視する監視用演算装置（３０）と、
を備え、
前記監視用演算装置は、前記機関要求トルクを演算する機関要求トルク演算部（３２）および前記推定トルクを演算する推定トルク演算部（３３）を有し、
前記機関要求トルク演算部は、前記内燃機関の点火時期の遅角に伴い生じる実トルクの低下分をリザーブトルクとして算出し、算出した前記リザーブトルクおよび前記ユーザ要求トルクに基づき前記機関要求トルクを演算する内燃機関制御システム。
【請求項２】
前記内燃機関の排気通路には排気を浄化する触媒が配置されており、
前記制御用演算装置は、前記目標制御量の１つである目標点火時期を、前記触媒の暖機要求時に遅角させるように設定し、
前記機関要求トルク演算部は、前記暖機要求による遅角に伴い生じる実トルクの低下分を算出し、その算出した低下分に基づき前記リザーブトルクを算出する請求項１に記載の内燃機関制御システム。
【請求項３】
前記制御用演算装置は、前記目標制御量の１つである目標点火時期を、アイドル運転時に遅角させるように設定し、
前記機関要求トルク演算部は、前記アイドル運転時の遅角に伴い生じる実トルクの低下分を算出し、その算出した低下分に基づき前記リザーブトルクを算出する請求項１または２に記載の内燃機関制御システム。
【請求項４】
制御用記憶領域（２０ｍ）を用いて演算する演算装置であって、ユーザが要求する内燃機関の駆動トルクであるユーザ要求トルクに応じて、前記内燃機関の燃焼状態を制御する
制御量の目標値である目標制御量を演算する制御用演算装置（２０１）と、
前記制御用記憶領域とは別の監視用記憶領域（３０ｍ）を用いて演算する演算装置であって、前記内燃機関の実トルクの推定値である推定トルクが、前記内燃機関に要求されている機関要求トルクに対して所定以上乖離したトルク異常状態であるか否かを監視する監視用演算装置（３０１）と、
を備え、
前記制御用演算装置は、
前記内燃機関の燃焼エネルギのうち駆動トルクに変換されない燃焼効率悪化分をトルクに換算したリザーブトルクを算出するリザーブトルク算出部（２３）と、
前記リザーブトルク算出部により算出された前記リザーブトルクを前記ユーザ要求トルクに加算したトルクに基づき、前記目標制御量としての目標点火時期を設定する点火時期制御部（２２）と、
を有し、
前記監視用演算装置は、
前記リザーブトルクが所定範囲を超えた場合には上限トルクまたは下限トルクに制限しつつ、前記リザーブトルク算出部により算出された前記リザーブトルクを取得するリザーブトルク取得部（３１１）と、
前記ユーザ要求トルク、および前記リザーブトルク取得部により取得された前記リザーブトルクに基づき、前記機関要求トルクを演算する機関要求トルク演算部（３２１）と、
を有する内燃機関制御システム。
【請求項５】
制御用記憶領域（２０ｍ）を用いて演算する演算装置であって、ユーザが要求する内燃機関の駆動トルクであるユーザ要求トルクに応じて、前記内燃機関の燃焼状態を制御する制御量の目標値である目標制御量を演算する制御用演算装置（２０２）と、
前記制御用記憶領域とは別の監視用記憶領域（３０ｍ）を用いて演算する演算装置であって、前記内燃機関の実トルクの推定値である推定トルクが、前記内燃機関に要求されている機関要求トルクに対して所定以上乖離したトルク異常状態であるか否かを監視する監視用演算装置（３０２）と、
を備え、
前記制御用演算装置は、
前記内燃機関のノック有無に応じて点火時期を補正させる量であるノック学習量を算出するノック学習量算出部（２４）と、
前記ノック学習量算出部により算出された前記ノック学習量に基づき、前記目標制御量としての目標点火時期を設定する点火時期制御部（２２）と、
を有し、
前記監視用演算装置は、
前記ノック学習量が所定範囲を超えた場合には上限遅角量または下限遅角量に制限しつつ、前記ノック学習量算出部により算出された前記ノック学習量を取得する遅角量取得部（３１２）と、
前記内燃機関の運転状態、および前記遅角量取得部により取得された前記ノック学習量に基づき、前記推定トルクを演算する推定トルク演算部（３３１）と、
を有する内燃機関制御システム。
【手続補正２】
【補正対象書類名】明細書
【補正対象項目名】００１１
【補正方法】削除
【補正の内容】
【手続補正３】
【補正対象書類名】明細書
【補正対象項目名】００１２
【補正方法】削除
【補正の内容】
【手続補正４】
【補正対象書類名】明細書
【補正対象項目名】００１３
【補正方法】変更
【補正の内容】
【００１３】
ここに開示された第２の内燃機関制御システムは、
制御用記憶領域（２０ｍ）を用いて演算する演算装置であって、ユーザが要求する内燃機関の駆動トルクであるユーザ要求トルクに応じて、内燃機関の燃焼状態を制御する制御量の目標値である目標制御量を演算する制御用演算装置（２０１）と、
制御用記憶領域とは別の監視用記憶領域（３０ｍ）を用いて演算する演算装置であって、内燃機関の実トルクの推定値である推定トルクが、内燃機関に要求されている機関要求トルクに対して所定以上乖離したトルク異常状態であるか否かを監視する監視用演算装置（３０１）と、を備え、
制御用演算装置は、
内燃機関の燃焼エネルギのうち駆動トルクに変換されない燃焼効率悪化分をトルクに換算したリザーブトルクを算出するリザーブトルク算出部（２３）と、
リザーブトルク算出部により算出されたリザーブトルクをユーザ要求トルクに加算したトルクに基づき、目標制御量としての目標点火時期を設定する点火時期制御部（２２）と、を有し、
監視用演算装置は、
リザーブトルクが所定範囲を超えた場合には上限トルクまたは下限トルクに制限しつつ、リザーブトルク算出部により算出されたリザーブトルクを取得するリザーブトルク取得部（３１１）と、
ユーザ要求トルク、およびリザーブトルク取得部により取得されたリザーブトルクに基づき、機関要求トルクを演算する機関要求トルク演算部（３２１）と、を有する。
【手続補正５】
【補正対象書類名】明細書
【補正対象項目名】００１４
【補正方法】変更
【補正の内容】
【００１４】
上記第２の内燃機関制御システムでは、目標点火時期の設定に用いるリザーブトルクを制御用演算装置が算出しており、その算出したリザーブトルクを利用して、監視に用いる
機関要求トルクを監視用演算装置が演算する。そのため、点火信号の検出を不要にしつつ、点火時期に応じた上記効率を考慮して、監視に用いる機関要求トルクを演算でき、トルク異常を精度良く監視できるようになる。
【手続補正６】
【補正対象書類名】明細書
【補正対象項目名】００１６
【補正方法】変更
【補正の内容】
【００１６】
ここに開示された第３の内燃機関制御システムは、
制御用記憶領域（２０ｍ）を用いて演算する演算装置であって、ユーザが要求する内燃機関の駆動トルクであるユーザ要求トルクに応じて、内燃機関の燃焼状態を制御する制御量の目標値である目標制御量を演算する制御用演算装置（２０２）と、
制御用記憶領域とは別の監視用記憶領域（３０ｍ）を用いて演算する演算装置であって、内燃機関の実トルクの推定値である推定トルクが、内燃機関に要求されている機関要求トルクに対して所定以上乖離したトルク異常状態であるか否かを監視する監視用演算装置（３０２）と、を備え、
制御用演算装置は、
内燃機関のノック有無に応じて点火時期を補正させる量であるノック学習量を算出するノック学習量算出部（２４）と、
ノック学習量算出部により算出されたノック学習量に基づき、目標制御量としての目標点火時期を設定する点火時期制御部（２２）と、
を有し、
監視用演算装置は、
ノック学習量が所定範囲を超えた場合には上限遅角量または下限遅角量に制限しつつ、ノック学習量算出部により算出されたノック学習量を取得する遅角量取得部（３１２）と、
内燃機関の運転状態、および遅角量取得部により取得されたノック学習量に基づき、推定トルクを演算する推定トルク演算部（３３１）と、
を有する。
【手続補正７】
【補正対象書類名】明細書
【補正対象項目名】００１７
【補正方法】変更
【補正の内容】
【００１７】
上記第３の内燃機関制御システムでは、目標点火時期の設定に用いるノック学習量を制御用演算装置が算出しており、その算出したノック学習量を利用して、監視に用いる推定トルクを監視用演算装置が演算する。そのため、点火信号の検出を不要にしつつ、点火時期に応じた上記効率を考慮して、監視に用いる推定トルクを演算でき、トルク異常を精度良く監視できるようになる。